【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
容量性ソースから放出される電気エネルギーを貯蔵する方法であって、
ソース内に容量性負荷を蓄積すること、
ソースの出力電圧が閾値を超え、且つピークに達したことが検出された後で、容量性ソースと電圧変換ブロックの間のスイッチを閉じること、
所定の期間の経過後にスイッチを開くこと、及び
電圧変換ブロック内の電気エネルギーをインダクタから貯蔵デバイスに移すこと
を含む方法。
【請求項２】
ソース由来の電気エネルギーを整流すること、
ソースの出力電圧を閾値と比較すること、及び
出力電圧が閾値を超えていることを決定すること、
を更に含む、請求項１に記載の方法。
【請求項３】
ソースの出力電圧が閾値を超えたら第２スイッチを閉じること、
ソースの出力電圧がピークに達したことを検出すること、
ソースの出力電圧がピークに達したことが検出されたら閉じた第2スイッチを通して信号を送信すること、及び
第１スイッチにより、閉鎖を指示する信号を受信すること
を更に含む、請求項２に記載の方法。
【請求項４】
ソースの出力電圧が閾値を下回る値に低下したら第２スイッチを開き、第１スイッチを開く前に第２スイッチを開くことを更に含む、請求項３に記載の方法。
【請求項５】
容量性ソースから放出される電気エネルギーを貯蔵する方法であって、
ソース内に容量性負荷を蓄積すること、
ソースの出力電圧が閾値を超えたと判定された後で、容量性ソースと電圧変換ブロックの間のスイッチを閉じること、
電圧変換ブロックのインダクタを流れる電流が目標値に達したことが決定されたらスイッチを開くこと、
電圧変換ブロック内の電気エネルギーをインダクタから貯蔵デバイスに移すこと、
インダクタの電流の値が目標値に達すると思われる時間を計算すること、及び
計算された時間にインダクタを流れる電流が目標値に達したと判定することとを含む方法。
【請求項６】
ソース由来の電気エネルギーを整流すること
を更に含む、請求項５に記載の方法。
【請求項７】
インダクタの電流の値を第２基準値と比較すること、及び
インダクタの電流の値が第２基準値を超えたとき、インダクタを流れる電流が目標値に達したと判定すること
を更に含む、請求項５に記載の方法。
【請求項８】
容量性ソースから放出される電気エネルギーを貯蔵するための装置であって、
出力電圧を生成する容量性ソース、
ソースに接続するスイッチ
スイッチに接続するインダクタ、
インダクタに接続する貯蔵デバイス、及び
電圧閾値検出器と電圧ピーク検出器とを備えたコントローラであって、ソースの出力電圧が閾値を超え、且つピークに達したことが検出された後で、スイッチを閉じるように構成されたコントローラ
を備えた装置。
【請求項９】
エネルギー源とスイッチの間に接続された整流器
を更に含む、請求項８に記載の装置。
【請求項１０】
容量性ソースが圧電変換器である、請求項８に記載の装置。
【請求項１１】
容量性ソースがコンデンサである、請求項８に記載の装置。
【請求項１２】
貯蔵デバイスが充電可能なバッテリである、請求項８に記載の装置。
【請求項１３】
インダクタが
2010519891.tif 000001
より大きい値を有し、上の式中、C1は貯蔵デバイスの容量の値であり、ｉｓはインダクタの飽和電流であり、そしてＶ１は電気エネルギー源の最大電圧出力値である、請求項８に記載の装置。
【請求項１４】
インダクタ及び貯蔵デバイスと並列接続されたダイオード
を更に含む、請求項８に記載の装置。
【請求項１５】
容量性ソースから放出される電気エネルギーを貯蔵するための装置であって、
出力電圧を生成する容量性ソースに接続するソース接続部、
ソース接続部に接続するスイッチ、
スイッチに接続するインダクタ、
インダクタに接続する貯蔵デバイス、及び
ソースの出力電圧が閾値を超え、且つピークに達したことが検出された後で、スイッチを閉じるように構成されたコントローラ
を備えた装置。
【請求項１６】
圧電変換器から放出される電気エネルギーを貯蔵するための装置であって、
圧電変換器、
圧電変換器に接続するスイッチ、
スイッチに接続するインダクタ、
インダクタに接続する貯蔵デバイス、及び
圧電変換器の出力電圧が閾値を超え、且つピークに達したことが検出された後で、スイッチを閉じるように構成されたコントローラ
を備えた装置。
【手続補正２】
【補正対象書類名】明細書
【補正対象項目名】００３６
【補正方法】変更
【補正の内容】
【００３６】
上述の説明から、本発明の真の精神から逸脱することなくその実施形態に様々な改良及び変更を加えることができることは明らかである。上述の説明は、説明のみを目的としており、なんら限定的な意味を持たない。請求の範囲の記載内容が、本発明の範囲を規定する。
また、本発明は以下に記載する態様を含む。
（態様１）
容量性ソースから放出される電気エネルギーを貯蔵する方法であって、
ソース内に容量性負荷を蓄積すること、
ソースの出力電圧が閾値を超え、且つピークに達したことが検出された後で、容量性ソースと電圧変換ブロックの間のスイッチを閉じること、
所定の期間の経過後にスイッチを開くこと、及び
電圧変換ブロック内の電気エネルギーをインダクタから貯蔵デバイスに移すこと
を含む方法。
（態様２）
ソース由来の電気エネルギーを整流すること
を更に含む、態様１に記載の方法。
（態様３）
電気エネルギーを全波整流する、態様２に記載の方法。
（態様４）
ソースの出力電圧を閾値と比較すること、及び
出力電圧が閾値を超えていることを決定すること
を更に含む、態様１に記載の方法。
（態様５）
ソースの出力電圧が閾値を超えたら第２スイッチを閉じること、
ソースの出力電圧がピークに達したことを検出すること、
ソースの出力電圧がピークに達したことが検出されたら閉じた第2スイッチを通して信号を送信すること、及び
第1スイッチにより、閉鎖を指示する信号を受信すること
を更に含む、態様４に記載の方法。
（態様６）
ソースの出力電圧が閾値を下回る値に低下したら第２スイッチを開くこと
を更に含む、態様５に記載の方法。
（態様７）
第１スイッチを開く前に第２スイッチを開く、態様６に記載の方法。
（態様８）
容量性ソースから放出される電気エネルギーを貯蔵する方法であって、
ソース内に容量性負荷を蓄積すること、
ソースの出力電圧が閾値を超えたと判定された後で、容量性ソースと電圧変換ブロックの間のスイッチを閉じること、
電圧変換ブロックのインダクタを流れる電流が目標値に達したことが決定されたらスイッチを開くこと、及び
電圧変換ブロック内の電気エネルギーをインダクタから貯蔵デバイスに移すこと
を含む方法。
（態様９）
ソース由来の電気エネルギーを整流すること
を更に含む、態様８に記載の方法。
（態様１０）
インダクタの電流の値を第２基準値と比較すること、及び
インダクタの電流の値が第２基準値を超えたとき、インダクタを流れる電流が目標値に達したと判定すること
を更に含む、態様８に記載の方法。
（態様１１）
インダクタの電流の値が目標値に達すると思われる時間を計算すること、及び
計算された時間にインダクタを流れる電流が目標値に達したと判定すること
を更に含む、態様８に記載の方法。
（態様１２）
容量性ソースから放出される電気エネルギーを貯蔵するための装置であって、
出力電圧を生成する容量性ソース、
ソースに接続するスイッチ
スイッチに接続するインダクタ、
インダクタに接続する貯蔵デバイス、及び
ソースの出力電圧が閾値を超え、且つピークに達したことが検出された後で、スイッチを閉じるように構成されたコントローラ
を備えた装置。
（態様１３）
エネルギー源とスイッチの間に接続された整流器
を更に含む、態様１２に記載の装置。
（態様１４）
整流器が全波整流器である、態様１３に記載の装置。
（態様１５）
容量性ソースが圧電変換器である、態様１２に記載の装置。
（態様１６）
容量性ソースがコンデンサである、態様１２に記載の装置。
（態様１７）
貯蔵デバイスがキャパシタである、態様１２に記載の装置。
（態様１８）
貯蔵デバイスが充電可能なバッテリである、態様１２に記載の装置。
（態様１９）
コントローラが、
ソースの出力電圧の閾値を検出する電圧閾値検出器、及び
ソースの出力電圧のピークを検出する電圧ピーク検出器
を備える、態様１２に記載の装置。
（態様２０）
インダクタが
2010519891.tif 000002
より大きい値を有し、上の式中、C1は貯蔵デバイスの容量の値であり、ｉｓはインダクタの飽和電流であり、そしてＶ１は電気エネルギー源の最大電圧出力値である、態様１２に記載の装置。
（態様２１）
インダクタ及び貯蔵デバイスと並列接続されたダイオード
を更に含む、態様１２に記載の装置。
（態様２２）
容量性ソースから放出される電気エネルギーを貯蔵するための装置であって、
出力電圧を生成する容量性ソースに接続するソース接続部、
ソース接続部に接続するスイッチ、
スイッチに接続するインダクタ、
インダクタに接続する貯蔵デバイス、及び
ソースの出力電圧が閾値を超え、且つピークに達したことが検出された後で、スイッチを閉じるように構成されたコントローラ
を備えた装置。
（態様２３）
圧電変換器から放出される電気エネルギーを貯蔵するための装置であって、
圧電変換器、
圧電変換器に接続するスイッチ、
スイッチに接続するインダクタ、
インダクタに接続する貯蔵デバイス、及び
圧電変換器の出力電圧が閾値を超え、且つピークに達したことが検出された後で、スイッチを閉じるように構成されたコントローラ
を備えた装置。